(57)【要約】【課題】上部食器かごの食器を全て取り除かなくても下部食器かごへの食器の取り出し、配置ができ、また、大物食器、調理器具の配置も効率よくできる上下２段の食器かごを有する食器洗い機を実現する。【解決手段】上下２段の食器かごの上部食器かご５を複数のかご部５ａ、５ｂで構成し、それぞれのかご部を跳ね上げ位置と下部食器かご４への載置位置との間で同一軸５ｄまわりに回動自在に構成したもので、上部食器かご５の下方の下部食器かご４に配置された食器３を効率よく取り出し又は配置ができ、大物食器を配置しても上部食器かご５の一部が使用でき、食器３の配置効率がよいので、仕上がりよく洗浄できる。【選択図】図３
2008073400.tif 000002
【特許請求の範囲】
【請求項１】
洗浄槽と、前記洗浄槽内に配置し食器類を収容する上部食器かごと下部食器かごと、食器類に洗浄水を噴射して洗浄する洗浄ノズルとを備え、前記上部食器かごは、複数のかご部で構成し、それぞれのかご部を跳ね上げ位置と前記下部食器かごへの載置位置との間で同一軸まわりに回動自在に構成した食器洗い機。
【請求項２】
複数のかご部を回動自在とする軸は、洗浄槽の前後方向に配設した請求項１記載の食器洗い機。
【請求項３】
洗浄ノズルは洗浄槽の略中央に配設するとともに、下部食器かごは、複数のかご部を前記下部食器かごへの載置位置において支持する支持部を前記洗浄ノズルの近傍でほぼ等しい距離に設けた請求項１または２記載の食器洗い機。
【請求項４】
支持部は、左右の側辺を上辺で連結した形状とし、前記左右の側辺と前記上辺とで洗浄ノズルの頂部を側方から覆うよう構成した請求項３記載の食器洗い機。
【請求項５】
洗浄ノズルは回転可能に構成するとともに、支持部は、下部食器かごに収容した食器類が前記洗浄ノズルに接触することを防止するガード体として構成した請求項３または４記載の食器洗い機。
【請求項６】
複数のかご部は、下部食器かごへの載置位置において連続する面を形成するように構成した請求項１〜５のいずれか１項記載の食器洗い機。
【請求項７】
複数のかご部は、少なくとも１つのかご部の形状を、他のかご部の形状と異なる形状とした請求項１〜６のいずれか１項記載の食器洗い機。
【請求項８】
複数のかご部は、少なくとも１つのかご部の軸側の側辺の長さを、他のかご部の軸側の側辺の長さと異ならせた請求項７記載の食器洗い機。
【発明の詳細な説明】
【技術分野】
【０００１】
本発明は洗浄ノズルより食器に向けて洗浄水を噴射して食器を洗浄する食器洗い機に関するものである。
【背景技術】
【０００２】
従来、この種の食器洗い機は図７、図８に示すように構成していた。以下、その構成について説明する。図７において、洗浄槽１は、内部に洗浄水を噴射する洗浄ノズル２を回転自在に設けるとともに、食器３を収容する下部食器かご４と上部食器かご５を配置している。洗浄槽１内の洗浄水はヒータ６によって温水化され、洗浄ポンプ７にて残滓フィルター８を通して排水口９から吸い込まれ、洗浄ノズル２に圧送される。洗浄ノズル２より勢いよく噴射される洗浄水によって、下部食器かご４、上部食器かご５に配置収容された食器３を洗浄するように構成している。
【０００３】
上部食器かご５は、一辺を両端部で下部食器かご４に回動可能に支持し、下部食器かご４の食器３を取り出す時、又は配置する時、上部食器かご５を図８に示すように跳ね上げて、容易に作業できるようにしている。また、食器３を上部食器かご５に収容しない場合にも、上部食器かご５を跳ね上げて、下部食器かご４を有効に使用できるようにしている（例えば、特許文献１参照）。
【特許文献１】特開２００１−６１７５６号公報
【発明の開示】
【発明が解決しようとする課題】
【０００４】
しかしながら、このような従来の食器洗い機では、洗浄槽１の上方より上部食器かご５の下方にある下部食器かご４の食器３を取り出す時、又は配置する時、上部食器かご５の食器３を全て取り除かなければならないという問題と、大物食器を上部食器かご５の下方の下部食器かご４に配置した場合上部食器かご５が使用出来ないという問題も有していた。
【０００５】
本発明は、上記従来の課題を解決するもので、上部食器かごの下方に配置された食器を効率よく取り出し又は配置ができ、大物食器を配置しても上部食器かごの一部を使用出来るようにし、食器の配置効率をよくした食器洗い機を提供することを目的としている。
【課題を解決するための手段】
【０００６】
本発明は上記目的を達成するために、洗浄槽と、前記洗浄槽内に配置し食器類を収容する上部食器かごと下部食器かごと、食器類に洗浄水を噴射して洗浄する洗浄ノズルとを備え、前記上部食器かごは、複数のかご部で構成し、それぞれのかご部を跳ね上げ位置と前記下部食器かごへの載置位置との間で同一軸まわりに回動自在に構成したものである。
【０００７】
これにより、上部食器かごの下方に配置された食器を効率よく取り出し又は配置ができ、大物食器を配置しても上部食器かごの一部を使用出来るようにし、食器の配置効率がよいので、仕上がりよく洗浄できるものである。
【発明の効果】
【０００８】
本発明の食器洗い機は、食器かごに収容する食器の配置性を改善し、食器を効率よく取り出し又は配置ができ、大物食器を配置しても上部食器かごの一部を使用出来るようにした食器洗い機を実現することができる。
【発明を実施するための最良の形態】
【０００９】
第１の発明は、洗浄槽と、前記洗浄槽内に配置し食器類を収容する上部食器かごと下部食器かごと、食器類に洗浄水を噴射して洗浄する洗浄ノズルとを備え、前記上部食器かごは、複数のかご部で構成し、それぞれのかご部を跳ね上げ位置と前記下部食器かごへの載置位置との間で同一軸まわりに回動自在に構成したことにより、下部食器かごの食器を取り出し、または配置したい場所の上の上部食器かごの複数のかご部のうち希望のもののみを回動させて跳ね上げるだけで、その他のかご部には湯のみやコップ類を収納したままで容易に下部食器かごの食器を取り出し、または配置することができる。また、下部食器かごへ大物食器を配置したい場合にも、大物食器を配置したい場所のかご部のみを回転させて跳ね上げ、残ったかご部には食器類が配置でき洗浄することができる。
【００１０】
第２の発明は、上記第１の発明において、複数のかご部を回動自在とする軸は、洗浄槽の前後方向に配設したことにより、洗浄槽の左右方向に配設した場合に比べて食器洗い機前方からのかご部の回動作業が手の機能との関連において容易である。また、大物食器は下部食器かごに左右に並べて配置するのが食器洗い機の前方から収納する際の作業性の点で得策であり、複数のかご部を回動自在とする軸は、洗浄槽の前後方向に配設したことにより、この条件下で最も効率的に各種の大きさの食器類を配置することができる。
【００１１】
第３の発明は、上記第１または第２の発明において、洗浄ノズルは洗浄槽の略中央に配設するとともに、下部食器かごは、複数のかご部を前記下部食器かごへの載置位置において支持する支持部を前記洗浄ノズルの近傍でほぼ等しい距離に設けたことにより、食器類の収納性を損わずに上部食器かごの複数のかご部を下部食器かごで確実に支持することができる。
【００１２】
第４の発明は、上記第３の発明において、支持部は、左右の側辺を上辺で連結した形状とし、前記左右の側辺と前記上辺とで洗浄ノズルの頂部を側方から覆うよう構成したことにより、複数のかご部を下部食器かごに載置した位置で複数のかご部が洗浄ノズルの頂部に当たることなく下部食器かごに支持されるとともに、食器類の洗浄ノズルへの接触も防止することができる。
【００１３】
第５の発明は、上記第３または第４の発明において、洗浄ノズルは回転可能に構成するとともに、支持部は、下部食器かごに収容した食器類が前記洗浄ノズルに接触することを防止するガード体として構成したことにより、洗浄ノズルを回転形のものにした場合に、より大きな課題となる、食器類が洗浄ノズルに接触して損傷したり、洗浄ノズルが回転せず正規の洗浄性能を発揮できないといった不具合の発生を防止することができる。
【００１４】
第６の発明は、上記第１〜第５の発明において、複数のかご部は、下部食器かごへの載置位置において連続する面を形成するように構成したことにより、互いに隣接する複数のかご部に跨らせて食器を収納しても安定して載置することができ、食器を損傷することなく洗浄することができる。
【００１５】
第７の発明は、上記第１〜第６の発明において、複数のかご部は、少なくとも１つのかご部の形状を、他のかご部の形状と異なる形状としたことにより、下部食器かごの食器配置に合わして上部食器かごの構成、形状、大きさを決めることができるので、下部食器かごと上部食器かごの使用勝手がよく効率よく洗浄をすることができる。
【００１６】
第８の発明は、上記第７の発明において、複数のかご部は、少なくとも１つのかご部の軸側の側辺の長さを、他のかご部の軸側の側辺の長さと異ならせたことにより、下部食器かごの食器の配置に合わしての取り出し、配置が効率よくできる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は本発明の実施の形態１の食器洗い機の断面図、図２は同食器洗い機の下部食器かごと上部食器かごの構成を示す斜視図、図３は同食器洗い機の上部食器かごの第１のかご部を跳ね上げた状態を示す斜視図、図４は同食器洗い機の上部食器かごの第２のかご部を跳ね上げた状態を示す斜視図である。
【００１９】
図１において、洗浄槽１は、内部に洗浄水を噴射する洗浄ノズル２を回転自在に設けるとともに、食器３を収容する下部食器かご４と上部食器かご５を配置している。洗浄槽１内の洗浄水はヒータ６によって温水化され、洗浄ポンプ７にて残滓フィルター８を通して排水口９から吸い込まれ、洗浄ノズル２に圧送される。洗浄ノズル２より勢いよく噴射される洗浄水によって、下部食器かご４と上部食器かご５に配置収容された食器３を洗浄するように構成している。洗浄ノズル２は、下部食器かご４および上部食器かご５に収容された食器３に向けて下方から洗浄水を噴射する水平ノズル部２ａと、その水平ノズル部２ａの中央から上方にタワー状に突出させて設けられ、食器３に向けて側方から洗浄水を噴射するタワーノズル部２ｂとを備え、洗浄槽１の底部の前後左右ほぼ中央に回転可能に配設されている。
【００２０】
図２によって洗浄槽１内に配置された食器かごの構成を説明する。線材を組み合わせて構成した下部食器かご４は、洗浄槽１の底面に近い高さに洗浄槽１の底面の大部分に亘って配置されている。下部食器かご４の洗浄槽１前方から見て右側には大皿等の大物食器を左右方向に数枚並べて収容できる大物収容部４ａが前後に２列設けられている。下部食器かご４の洗浄槽１前方から見て左側には、椀類や小皿を収容する椀類収容部４ｂが設けられている。
【００２１】
下部食器かご４の洗浄槽１に配置された時の洗浄ノズル２との位置関係は、洗浄ノズル２の水平ノズル部２ａは下部食器かご４より下方に位置し、タワーノズル部２ｂは下部食器かご４の底部に設けられた空間部を突き抜けて上方へと延びている。
【００２２】
さらに、下部食器かご４には、上部食器かご５のかご部を倒して下部食器かご４上に載置した位置で支持するための支持部４ｄ、４ｅを底部から立設してある。これらの支持部４ｄ、４ｅは、左右の側辺を上辺で連結したコの字形状とし、洗浄ノズル２の近傍で洗浄ノズル２からほぼ等しい距離を離して設けて、左右の側辺と上辺とで洗浄ノズル２のタワーノズル部２ｂの頂部を前後方向で側方から覆うよう構成してある。
【００２３】
上部食器かご５は、主として湯のみやコップ類を収容するもので、洗浄槽１の左側で下部食器かご４の椀類収容部４ｂの上方に設けられており、前後方向で互いに隣接する２つのかご部、すなわち第１のかご部５ａと第２のかご部５ｂと、線材を折り曲げて構成したかご枠５ｃとで構成されている。
【００２４】
かご枠５ｃは、洗浄槽１の後側内壁面の左右中央部の一部を内側に突出させて設けた支持部４ｃとこの支持部４ｃと同様の形状で洗浄槽１の前側内壁面に設けた支持部（前側内壁面に隠れているため図示しない）と洗浄槽１の左側前後両コーナーに設けた支持部（図示しない）とで洗浄槽１に安定して支持、配置されており、この洗浄槽１への配置状態で洗浄槽１の左側面部近傍の比較的上方に、２つのかご部５ａ、５ｂを回動可能に支持するための軸５ｄを洗浄槽１の前後方向に１本設けてある。
【００２５】
第１のかご部５ａと第２のかご部５ｂとは、いずれも上記の同一の軸５ｄまわりに回動自在にかご枠５ｃに支持されている。そして、それぞれ跳ね上げた位置と、洗浄槽１および下食器かご４に設けた支持部４ｃ、４ｄ、４ｅ等で支持される下部食器かご４への載置位置とを取りうるように個別に構成してある。この第１および第２のかご部５ａ、５ｂの形状は、かご部を左右方向の直線で前後にあたかも２分割したような形状とし、それぞれの幅寸法は下部食器かご４への載置位置において、椀類収容部４ｂの上方をほぼ覆うが、大物収容部４ａの上方は覆わない寸法に設定してある。
【００２６】
図２は、第１および第２のかご部５ａ、５ｂを共にかご枠５ｃの軸５ｄまわりに回動させて倒し下部食器かご４へ載置した状態を示し、第１のかご部５ａの大物収容部４ａに近い側の端部５ｅを洗浄槽１の支持部４ｃと下部食器かご４の支持部４ｄとで支持し、第２のかご部５ｂの大物収容部４ａに近い側の端部５ｆを支持部４ｅと洗浄槽１の前側内壁面に設けた支持部４ｃと同様の支持部（洗浄槽１の前側内壁面に隠れているため図示していない）とで支持し、この状態では、第１および第２のかご部５ａ、５ｂの上面である食器類載置面は段差のない連続する面を形成するように、第１および第２のかご部５ａ、５ｂの形状寸法および支持部４ｃ、４ｄ、４ｅ等の高さを設定して、第１のかご部５ａと第２のかご部５ｂに跨らせて食器３を載置することができるように構成してある。したがって、食器３を第１のかご部５ａと第２のかご部５ｂに跨らせても安定して載置することができ、食器３を損傷することなく洗浄することができる。
【００２７】
ここで、下部食器かご４に設けられ、上部食器かご５の第１および第２のかご部５ａ、５ｂを支持する支持部４ｄ、４ｅを上述したような形状および配置とすることによって、下部食器かご４に収容した食器３が洗浄ノズル２の特にタワーノズル部２ｂに接触することを防止するガード体としての機能を発揮できるようにしてあり、とりわけ洗浄ノズル２を回転形とした場合にはその効果が大きく、食器３が洗浄ノズル２へ接触して食器３を損傷したり、洗浄ノズル２が回転せず正規の洗浄性能を発揮できないといった不具合の発生を防止することができる。
【００２８】
また、支持部４ｄ、４ｅを洗浄ノズル２の近傍に位置させ、支持部４ｃ等を洗浄槽１の前後の内壁面およびコーナーに設けているので、下部食器かご４への食器３の配置効率を良くすることができるとともに、第１および第２のかご部５ａ、５ｂを回動中心となる軸５ｄとは反対側の端部５ｅ、５ｆの前端部と後端部とでそれぞれ支持できるので、下部食器かご４へ載置した位置で最も安定した状態で支持することができる。
【００２９】
図３は洗浄槽１の奥側に配設された第１のかご部５ａのみを跳ね上げた状態を、図４は洗浄槽１の手前側の第２のかご部５ｂのみを跳ね上げた状態をそれぞれ示しており、上部食器かご５のかご部を第１のかご部５ａと第２のかご部５ｂとに分割し、使用条件に応じていずれかあるいは両方を跳ね上げることにより、その下方の椀類収容部４ｂにも椀類よりも大きい大皿やミルクパンやパスタ皿等の異形の食器を収納することができる。
【００３０】
また、下部食器かご４への椀類の収納、取り出し作業時においても、必要な側のみかご部を跳ね上げれば、その下方の椀類収容部４ｂへの出し入れが容易に行える。また、その際に、上部食器かご５に収容したコップ類を一旦除ける必要がなく、跳ね上げない方のかご部にコップ類を寄せるだけで、下方の椀類収容部４ｂへの椀類の出し入れが容易に行える。
【００３１】
（実施の形態２）
図５は本発明の実施の形態２における食器洗い機の下部食器かごと上部食器かごの斜視図、図６は同食器洗い機の上部食器かごの第１のかご部を跳ね上げた状態を示す斜視図である。本実施の形態が上記実施の形態１と相違する点は、第１および第２のかご部５ａ、５ｂの形状および寸法であり、その他の構成は実施の形態１と同様である。
【００３２】
上記実施の形態１では、第１のかご部５ａと第２のかご部５ｂの合い隣る辺の形状を直線とするとともに、回動する際の軸５ｄ側の側辺の長さをほぼ等しくしているが、本実施の形態では、端部５ｅ、５ｆ側の奥行き寸法はほぼ等しくしているが、第２のかご部５ｂの軸５ｄ側の側辺の長さを、第１のかご部５ａの軸５ｄ側の側辺の長さより長くしている。すなわち、上部食器かご５のかご部を第１のかご部５ａと第２のかご部５ｂの異ならせた形状で組み合わせて構成している。
【００３３】
したがって、下部食器かご４からの支持部４ｄ、４ｅの位置を洗浄ノズル２の近傍で洗浄ノズル２からほぼ等しい距離を離した位置として、左右の側辺と上辺とで洗浄ノズル２のタワーノズル部２ｂの頂部を側方から覆うよう構成して、食器３が洗浄ノズル２の特にタワーノズル部２ｂに接触することを防止するガード体として機能させつつ、第１、第２のかご部５ａ、５ｂの端部５ｅ、５ｆを洗浄槽１の奥行き方向のほぼ中央部で安定して支持することができる。また、支持部４ｄ、４ｅを洗浄ノズル２の近傍に位置させているので、下部食器かご４への食器３の配置効率を良くすることもできる。
【００３４】
さらに、食器３の収納、取り出し作業という点においても、下部食器かご４の食器配置に合わせて第１および第２のかご部５ａ、５ｂの形状、大きさを決めることができるので、実施の形態１よりも下部食器かご４への食器３の収納、取り出しがさらに容易になり、また、上部食器かご５の使用勝手もよく、効率よく食器３の取り出し、配置ができる。特に、実施の形態１では収納作業が難しい径が大きくかつ柄の長いミルクパンのような調理器具類や長円形のパスタ皿のような食器類も、本実施の形態の食器洗い機では、軸５ｄ側の長さが長い第２のかご部５ｂを跳ね上げて下部食器かご４に容易に収納することができる。
【００３５】
なお、上記の実施の形態では、上部食器かご５のかご部を２つのかご部５ａ、５ｂで構成した場合について説明したが、３つ以上のかご部で構成した場合も同様の作用、効果を得ることができる。また、上部食器かご５を支持する支持部４ｃ、４ｄ、４ｅは、４ｃを洗浄槽１の後側内壁面に設け、４ｄ、４ｅを下部食器かご４に設ける構成としたが、すべて下部食器かご４に設けても同様の作用、効果を得ることができる。
【産業上の利用可能性】
【００３６】
以上のように、本発明にかかる食器洗い機は、食器の取り出し性、配置性がやりやすく、大物食器、調理器具の配置も効率よく出来るので上下２段の食器かごを有する食器洗い機等として有用である。
【図面の簡単な説明】
【００３７】
【図１】本発明の実施の形態１の食器洗い機の断面図
【図２】同食器洗い機の下部食器かごと上部食器かごの斜視図
【図３】同食器洗い機の上部食器かごの第１のかご部を跳ね上げた状態を示す斜視図
【図４】同食器洗い機の上部食器かごの第２のかご部を跳ね上げた状態を示す斜視図
【図５】本発明の実施の形態２の食器洗い機の下部食器かごと上部食器かごの斜視図
【図６】同食器洗い機の上部食器かごの第１のかご部を跳ね上げた状態を示す斜視図
【図７】従来の食器洗い機の縦断面図
【図８】同食器洗い機の食器かごの斜視図
【符号の説明】
【００３８】
１    洗浄槽
２    洗浄ノズル
３    食器
４    下部食器かご
４ｃ、４ｄ、４ｅ  支持部
５    上部食器かご
５ａ  第１のかご部
５ｂ  第２のかご部
５ｃ  かご枠
５ｄ  軸
６    ヒータ
７    ポンプ
８    残滓フィルター
９    排水口
【図１】
2008073400.tif 000003
【図２】
2008073400.tif 000004
【図３】
2008073400.tif 000005
【図４】
2008073400.tif 000006
【図５】
2008073400.tif 000007
【図６】
2008073400.tif 000008
【図７】
2008073400.tif 000009
【図８】
2008073400.tif 000010